(57)【特許請求の範囲】
【請求項１】
ブラシおよび整流子の近傍に配設して接点を気相潤滑する保湿剤をブラシおよび整流子と共にモータケース内に準密閉状態で収納するブラシ付モータにおいて、
液体またはゲル状物質からなる前記保湿剤が前記モータケースのケース底部に配設されるとともに前記ケース底部には前記ブラシまたは前記整流子を囲繞する隔壁を前記保湿剤の配設部位と前記ブラシとの間に設け、
前記隔壁は、その頂面は前記保湿剤表面より高位置に形成するとともに、前記保湿剤側から前記ブラシ側に連通する開口が適当な間隔で設けられ、
前記保湿剤の配設部位は、回転出力軸を中心とする半径線上にあり、前記開口と異なる半径線上に臨ませることを特徴とするブラシ付モータ。
【請求項２】
前記隔壁は頂面の高さを前記ブラシにおける取付中心以下に形成したことを特徴とする請求項１に記載のブラシ付モータ。
【請求項３】
前記保湿剤の貯溜部を前記ケース底部の適当な位置に凹設したことを特徴とする請求項１に記載のブラシ付モータ。
【発明の詳細な説明】
【０００１】
【発明の属する技術分野】
本発明はビデオやテープレコーダなどのテープ駆動やＣＤ、ＭＤなどの再生駆動源として使用する高性能小型モータに係わり、より具体的にはブラシ−整流子間の気相方式接点潤滑に保湿剤を使用するモータケースの構造に関する。
【０００２】
【従来の技術】
密閉形小型モータは、高性能を維持し長寿命を図る手段として、気相方式接点潤滑剤を含浸させたフェルトなどの繊維質基材や発泡性樹脂基材をモータケース内のブラシ近傍に接着剤で貼着して、常時摺接状態にあるブラシ−整流子間を気相潤滑して摩滅の進行を阻止している。
【０００３】
【発明が解決しようとする課題】
しかしながら、このように気相方式接点潤滑剤（以下保湿剤と記載する）を含浸させた基材を別途に製造して接着剤で貼着する手段は、製造コストや接着剤を基材に塗布してモータケースの所定位置に接着する手間が避けられない。そこで工数およびコスト節減のため、保湿剤を液状またはゲル状にして固有の付着力で直接モータケースの適当位置に適量を塗着する手段が適用される。
【０００４】
ところが、保湿剤は潤滑するブラシ−整流子の近傍に塗着した方がより高い効果が得られる。一方、ブラシ−整流子の近傍に保湿剤を塗着した場合、保湿剤は固有の付着力と塗着量との関係が適切でないと、車載時には衝撃・振動あるいは温度の影響など外的要因で飛散または流動し、保湿剤粒子が直近に位置するブラシ−整流子間に直接付着してモータ特性に悪影響を及ぼす可能性がある。
【０００５】
そこで本発明の目的は、保湿剤がブラシと整流子の機能を阻害しない準密閉構造のブラシ付モータを提供することである。
【０００６】
【課題を解決するための手段】
上記の目的を達成するために本発明に係わるブラシ付モータは、ブラシおよび整流子の近傍に配設して接点を気相潤滑する保湿剤をブラシおよび整流子と共にモータケース内に準密閉状態で収納しており、液体またはゲル状物質からなる前記保湿剤が前記モータケースのケース底部に配設されるとともに前記ケース底部には前記ブラシまたは前記整流子を囲繞する隔壁を前記保湿剤の配設部位と前記ブラシの間に設け、前記隔壁はその頂面は前記保湿剤表面より高位置に形成するとともに、前記保湿剤側から前記ブラシ側に連通する開口が適当な間隔で設けられ、前記保湿剤の配設部位は、回転出力軸を中心とする半径線上にあり、前記開口と異なる半径線上に臨ませる。
【０００７】
また、前記隔壁は頂面の高さを前記ブラシにおける取付中心以下に形成してもよい。また、前記保湿剤の貯溜部を前記ケース底部の適当な位置に凹設すると好適である。
【０００８】
【発明の実施の形態】
本発明の実施の形態として、以下に本発明に係わるブラシ付モータを第１実施例の図面に基づいて説明する。図１は密閉形小型モータ１０を一部断面で示した側面図で、設置姿勢は矢印Ｕの示す方向が上側となる。図１において、１１はモータケースで、内側面１１ａに樹脂成型されたケース底部１２の外周面１２ａが密に嵌合し、適当な手段で固定される。１４は回転出力軸で、コイル１５を巻回したロータ１６を整流子１７とともに支持して軸受１８に嵌装されて回転自在である。
【０００９】
１９は永久磁石でモータケース１１に固着されている。２０はモータ取付台で、固定された軸受１８と永久磁石１９とを同心にモータケース１１が気密に固裝される。ロータ１６の下部に取付けられた整流子１７はケース底部１２に固設したブラシ２２に摺接して電気的に導通している。ブラシ２２はケース底部１２にモールドで埋設された端子１３に接続され、モータケース１１の外部に臨む端子１３ａに半田付けされた電源コード２３に導通する。電源コード２３の先端にコネクタ２４が設けられ、図示しない駆動電源に連結可能である。
【００１０】
モータケース１１のモータ取付台２０およびケース底部１２との接続部、並びに回転出力軸１４と軸受１８との回転摺動部分は完全に気密が保たれていないが、後述する保湿剤２５の蒸気圧でモータケース１１内が外気圧より高くなるため、外気の有害成分（水蒸気、腐食性ガス、可燃ガス等）がモータケース１１内に侵入してくることはない。
【００１１】
このような構成のモータケース１１において、ケース底部１２に固設したブラシ２２を隔壁２７で囲繞し、ブラシ２２の近傍に塗着される保湿剤２５からの保湿剤固形成分がブラシ２２側へ飛散するのを遮断する。以下に、本発明に係わるブラシ付モータにおいて、準密閉形小型モータに内封された保湿剤の飛散固形分からブラシおよび整流子を保護して保湿剤を有効に機能させるモータケース底部構造の実施例について説明する。
【００１２】
【実施例】
図２〜図７は第１実施例〜第６実施例の図示で、共通部材は同一符号で示す。図２に示す第１実施例では、ケース底部１２１の上面２６１にブラシ２２を囲む隔壁２７１が形成され、保湿剤２５は隔壁２７１の外側の適当位置Ｐにシリンジを使用して適量を塗着し、保湿剤の自由表面頂部２５ａの高さが隔壁２７１を超えないようにする。図２（ａ）はケース底部１２１の平面図、図２（ｂ）は図２（ａ）のｂ−ｂ線に沿った断面図である。
【００１３】
隔壁２７１は保湿剤２５の側からブラシ２２側に連通する開口としてスリット２８が形成される。スリット２８の中心と回転出力軸１４の中心Ｃを結ぶ線上には保湿剤２５を塗着しないようにする。これにより、予測しない外乱による保湿剤２５の固相飛散微粒子のブラシ２２方向への移動は隔壁２７１に阻止され、気相成分だけがスリット２８を自由に通過してブラシ２２と整流子１７との摺接部分に達して潤滑に寄与する。
【００１４】
図３は第２実施例で、図３（ａ）はケース底部１２２の平面図、図３（ｂ）は図２（ａ）のｂ−ｂ線に沿った断面図である。保温剤２５および隔壁２７２の位置および相対高さの関係は、第１実施例と同様であるが、隔壁２７２は保湿剤２５の側からブラシ２２側に連通する開口として円孔２９が穿設される。保湿剤２５は円孔２９の中心と回転出力軸１４の中心Ｃを結ぶ線上には塗着しないようにし、適量を塗着した保湿剤２５の自由表面頂部２５ａの高さが隔壁２７２を超えないようにする。固相飛散微粒子のブラシ２２方向への移動は隔壁２７２に阻止され、気相成分だけが円孔２９を自由に通過してブラシ２２と整流子１７との摺接部分に達して潤滑に寄与する。
【００１５】
図４は第３実施例で、図４（ａ）はケース底部１２３の平面図、図４（ｂ）は図４（ａ）のｂ−ｂ線に沿った断面図である。保湿剤２５と隔壁２７３の平面配置は上記第１または第２実施例と同様であるが、図４（ｂ）から明らかなように隔壁２７３の頂面３０は、ブラシ２２の中心線の取付高さＨ以下に設定され、保湿剤２５は貯溜部としてケース底部１２３に凹設したピット３１に填装される。填装した適量の保湿剤２５は、自由表面２５ｂの高さを隔壁２７３の頂面３０より低く位置付け、隔壁２７３によってブラシ２２と整流子１７との摺接部分が保湿剤２５に直接対向するのを回避する。
【００１６】
すなわち、保湿剤２５は塗着した高さが隔壁２７３の頂面３０を超えない程度で填装量を適当に整えることにより、予測しない外乱による保湿剤２５の固相飛散微粒子あるいは温度上昇による保湿剤２５の流動成分がブラシ２２と整流子１７との摺接面に付着して、機械的回転や電気的接触の安定性を阻害するのを防止することができる。
【００１７】
一方、保湿剤２５から気化した気相成分は比重が空気より重いため、隔壁２７３の外側でブラシ２２の取付高さより低いレベルに滞留する。蒸気圧の付勢で隔壁２７３の頂面３０を越え、オーバーフローした気相成分がブラシ２２と整流子１７との潤滑に寄与する。従って、隔壁２７３の頂面３０のレベルが高いと気相成分の滞留容積が増大するだけで潤滑機能は減殺される。
【００１８】
図５は第４実施例で、図５（ａ）はケース底部１２４の平面図、図５（ｂ）は図５（ａ）のｂ−ｂ線に沿った断面図である。ケース底部１２４にはモールドで空房３２を連設させたハニカム状の隔壁２７４が形成される。隔壁２７４の頂面３０４はブラシ２２の取付中心高さＨより下方にあり第３実施例と同様に機能する。
【００１９】
保湿剤２５は空房３２内に細分化されて貯溜され、各空房３２内に貯溜された保湿剤２５の自由表面２５ｂは隔壁の頂面３０４より低位置にある。保湿剤２５の一塊の構成質量が小さくなるので粘性または表面張力による自己保持力で固相成分の飛散や流動が抑制され、安定に保持できる。従って、固相の保湿剤２５がそのまま隔壁２７４を越えることはなく、ブラシ２２または整流子１７に固相の保湿剤２５が付着して生じるモータ特性の劣化を防止できる。
【００２０】
一方、空房３２内では気化した保湿剤２５の横溢でオーバーフローした気相成分がブラシ２２と整流子１７の摺接を潤滑し、整流子１７の回転および集電機能を安定かつ確実に保証する。図５では空房３２を仕切る隔壁２７４が六角形で図示されているが、四角形や三角形などその他の幾何学図形が可能である。
【００２１】
図６は第５実施例で、図６（ａ）はケース底部１２５の平面図、図６（ｂ）は図６（ａ）のｂ−ｂ線に沿った断面図である。第５実施例では、ケース底部１２５の上面２６５に保湿剤２５の貯溜部となる凹部として幅が狭く深い溝３３を隔壁２７５に隣接させてモールドで成形する。塗着する保湿剤２５は溝３３の深部に貯溜して自由表面２５ｂと上面２６５の開口との間に十分な距離を設けて深い溝３３の中に低く位置付ける。
【００２２】
このため、固有の比重および粘性をもつ保湿剤２５は、狭い溝幅に移動の自由が制約を受けて、外乱による保湿剤２５の固相成分の物理的飛散や流動は阻止される。また、保湿剤２５の自由表面２５ｂは外気に接する表面積が少ないため気化は徐々に行われ、溝内に横溢して自然にオーバーフローした保湿剤２５の気相成分が整流子１７とブラシ２２との潤滑に寄与することになる。気化速度が遅いので、所定量の自然消費時間を長く保つことができる。図示では深い溝３３は１本だけであるが複数本設けてもよい。
【００２３】
図７は第６実施例で、図７（ａ）はケース底部１２６の平面図、図７（ｂ）は図７（ａ）のｂ−ｂ線に沿った断面図である。第６実施例では、第３実施例同様に、隔壁２７６の頂面３０６は、ブラシ２２の中心線の取付高さＨより低い位置に設定され、ケース底部１２６には外側の下面より上面２６６に貫通するポケット３４をモールド成形または機械加工で穿設して、外部開口３５に着脱自在のプラグ３６を押入または螺入する構成とする。
【００２４】
保湿剤２５は、プラグ３６を取外し、モータケース１１の内部に向けて開口するプラグ３６の凹部３７に充填して押入することができるので、保湿剤２５の補給が外部から簡単に行え、しかも補給量の確認が容易である。プラグ３６の頭部３８の下面の切欠３９は、プラグ３６を取外すときの工具挿入溝である。
【００２５】
またプラグ３６の胴部４０にネジを螺設してプラグ３６をねじ込んでもよい。あるいは、外部開口３５からポケット３４内に直接保湿剤２５を適量注入した後、外部開口３５を適当な手段で止栓するか、感圧接着テープ等で封止してもよい。以上実施例について説明したが、本発明は上記実施例に制限されるものではなく、特許請求の範囲の中で実施例の組合せの変更や細部の変形が可能である。
【００２６】
【発明の効果】
以上説明したように、本発明に係わるブラシ付モータによれば、モータケースのケース底部の保湿剤の塗着位置とブラシとの間に隔壁を設けたので、保湿剤の飛散や流動などによる固相微粒子がブラシと整流子との摺接部分に付着してモータ特性を阻害するのを防止することができる。
【図面の簡単な説明】
【図１】本発明に係わるブラシ付モータを一部断面で示す側面図である。
【図２】本発明に係わるブラシ付モータの第１実施例で（ａ）はケース底部の平面図で、（ｂ）は（ａ）のｂ−ｂ線に沿った断面図である。
【図３】本発明に係わるブラシ付モータの第２実施例で（ａ）はケース底部の平面図で、（ｂ）は（ａ）のｂ−ｂ線に沿った断面図である。
【図４】本発明に係わるブラシ付モータの第３実施例で（ａ）はケース底部の平面図で、（ｂ）は（ａ）のｂ−ｂ線に沿った断面図である。
【図５】本発明に係わるブラシ付モータの第４実施例で（ａ）はケース底部の平面図で、（ｂ）は（ａ）のｂ−ｂ線に沿った断面図である。
【図６】本発明に係わるブラシ付モータの第５実施例で（ａ）はケース底部の平面図で、（ｂ）は（ａ）のｂ−ｂ線に沿った断面図である。
【図７】本発明に係わるブラシ付モータの第６実施例で（ａ）はケース底部の平面図で、（ｂ）は（ａ）のｂ−ｂ線に沿った断面図である。
【符号の説明】
１０  ブラシ付モータ
１１  モータケース
１２１〜１２７  ケース底部
１４  回転出力軸
１７  整流子
１８  軸受
１９  永久磁石
２２  ブラシ
２５  保温剤
２７１〜２７７  隔壁
２８  スリット
２９  円孔
３０  隔壁頂面
３２  空房
３３  深い溝
３４  ポケット
３６  プラグ
【図１】
0003808666.tif 000002
【図２】
0003808666.tif 000003
【図３】
0003808666.tif 000004
【図４】
0003808666.tif 000005
【図５】
0003808666.tif 000006
【図６】
0003808666.tif 000007
【図７】
0003808666.tif 000008